(57)【特許請求の範囲】
【請求項１】
液体を噴射する液体噴射ヘッドと、
前記液体噴射ヘッドから噴射された液体を受け、第１のローラーと第２のローラーとの間に支持されて回転可能な無端シート状部材である液体受け部と、
前記第１のローラーの重力方向下側に位置して前記液体を保持する液体保持部と、
前記第２のローラーの重力方向下側に位置して、前記液体が固化した固化物を収容する固化物収容部と、
前記液体噴射ヘッドを前記液体受け部に対向させ、前記液体噴射ヘッドから吐出し、吐出された前記液体を受けた部分が前記第１のローラーを通過するように前記液体受け部を一方向に回転させる第１動作と、前記第１動作から少なくとも前記液体が固化する時間経過後に、前記無端シート状部材で固化した部分を前記第２ローラーを通過する前記無端シート状部材を他方向に回転させる第２動作と、を実行する制御部と、を備え、
前記第２のローラーの直径は前記第１のローラーの直径より小さい液体噴射装置。
【請求項２】
請求項１に記載の液体噴射装置において、
前記無端シート状部材で前記液体を受ける部分は、前記第１のローラーと前記第２のローラーの中心間距離より短く、かつ、定められた領域である液体噴射装置。
【請求項３】
請求項１または請求項２に記載の液体噴射装置において、
前記制御部は、前記第１動作時の回転速度より前記第２動作時の回転速度を速くする液体噴射装置。
【請求項４】
請求項１から請求項３のうち何れか一項に記載の液体噴射装置において、
前記制御部は、前記第２動作と、前記第２動作の後に再度前記無端シート状部材で固化した部分が前記第２ローラーを通過するよう前記無端シート状部材を前記一方向に回転する第３動作と、を複数回繰り返す液体噴射装置。
【発明の詳細な説明】
【技術分野】
【０００１】
本発明は、液体噴射ヘッドと、液体噴射ヘッドから排出された液体を収容する収容部を備える液体噴射装置に関する。
【背景技術】
【０００２】
従来から、インクなどの液体を液体噴射ヘッドのノズルから媒体に噴射する液体噴射装置が広く知られている。媒体に噴射する際、液体噴射ヘッドの全ノズルから噴射することはない。そのため噴射しないノズル内のインクは徐々に乾燥し、粘度が上昇する増粘状態となる。所定の粘度を超えると液体噴射ヘッドは正常にインクの噴射を行えなくなる。
【０００３】
ノズル内のインクの増粘を防止する方法として、所定の時間間隔や所定の噴射量間隔で、媒体以外の場所に液体噴射ヘッドの全ノズルからインクを噴射するフラッシングを行うのが一般的である。
【０００４】
フラッシング時においては、インクを吸収する吸収材にインクを噴射することで、インクを保持する。最近では、フィルムなどのインクを吸収しない媒体の需要や、媒体への噴射後の乾燥時間の短縮化のために、乾燥し易いインクの使用が求められている。乾燥しやすいインクを用いると、フラッシング時には、インクが吸収材に吸収浸透する前に乾燥してしまうため、吸収材の内部や表面でインクが固化し、堆積しやすくなる。一般に、フラッシングによるミストの発生を防止するため、液体噴射ヘッドと吸収材の距離は近い。そのため、インクが堆積すると液体噴射ヘッドに接触し汚染してしまう課題が発生する。
【０００５】
そこで、乾燥しやすいインクには特許文献１のように吸収材ではなくベルトを用いることがある。特許文献１は、媒体を搬送する搬送ベルト上において媒体を支持していない部分にフラッシングを行う。搬送ベルトに噴射されたインクは、クリーニング部の液体が入った洗浄槽の中を移動することで清掃される。
【先行技術文献】
【特許文献】
【０００６】
【特許文献１】特開２０１０−２３５１５号公報
【発明の概要】
【発明が解決しようとする課題】
【０００７】
しかしながら、特許文献１に記載の技術では、搬送ベルトを洗浄槽に浸すため搬送ベルトが濡れてしまう課題がある。また、洗浄槽を設けると、液体噴射装置が傾いた際に液が漏れ出す課題も発生する。
【０００８】
洗浄槽の代わりに、ブレードなどのインク除去材をベルトに摺接させてインクを除去することも考えられる。しかし、ブレードではベルトに付着したインクを完全に除去することはできず、除去されなかったインクが固化する。固化したインクはブレードでは削り落とすことができない。固化したインクを削り落とすようなブレードでは、逆にベルトを傷付けてしまう。また、ブレードにインクが付着して、ブレードとベルトの接触部にインクが堆積していく課題も発生する。ブレードにインクが堆積すると、さらにインクを除去できなくなる。
【課題を解決するための手段】
【０００９】
本発明は、上述の課題の少なくとも一部を解決するためになされたものであり、以下の形態または適用例として実現することが可能である。
【００１０】
本適用例に係る液体噴射装置は、液体を噴射する液体噴射ヘッドと、前記液体噴射ヘッドから噴射された液体を受け、第１のローラーと第２のローラーとの間に支持されて回転可能な無端シート状部材である液体受け部と、前記第１のローラーの重力方向下側に位置して前記液体を保持する液体保持部と、前記第２のローラーの重力方向下側に位置して、前記液体が固化した固化物を収容する固化物収容部と、前記液体噴射ヘッドを前記液体受け部に対向させ、前記液体噴射ヘッドから吐出し、吐出された前記液体を受けた部分が前記第１のローラーを通過するように前記液体受け部を一方向に回転させる第１動作と、前記第１動作から少なくとも前記液体が固化する時間経過後に、前記無端シート状部材で固化した部分を前記第２ローラーを通過する前記無端シート状部材を他方向に回転させる第２動作と、を実行する制御部と、を備え、前記第２のローラーの直径は前記第１のローラーの直径より小さい。
【００１１】
本適用例によれば、無端シート上にフラッシングし無端シートを一方に回転させることで、固化していないインクを第１のローラーの下の液体保持部で保持する。無端シート上に付着して液体保持部に落ちなかったインクが固化した時間を経過したら無端シートを他方向に回転させることで、固化したインクは第２のローラーのところで剥離させられ、固化収容部で収容される。これにより無端シート上で固化したインクを収容することができ、さらに堆積して液体噴射ヘッドと擦れることもない。また、固化していないインクと、固化したインクを別々のところで収容でき、固化したインクが液体保持部に入ることで固化していないインクの浸透性を損なうことがない。
【００１４】
上記適用例に記載の液体噴射装置は、無端シート状部材で液体を受ける部分は、第１のローラーと第２のローラーの中心間距離より短く、かつ、定められた領域であるのが好ましい。
【００１５】
本適用例によれば、無端シートがインクを受ける区間はローラー間より短い区間とすることで、無端シートを一方に回転させたときにインクが付着した区間が第２のローラーに係ることがない。また、他方向に回転したときに固化したインクの領域が第１のローラーに係ることがない。これにより固化していないインクと固化したインクがそれぞれの収容部で混ざり合うことがない。
【００１６】
上記適用例に記載の液体噴射装置は、制御部は、第１動作時の回転速度より第２動作時の回転速度を速くするのが好ましい。
【００１７】
本適用例によれば、固化したインクを第２のローラーに送る速度を遅くすることで、より剥離を発生しやすくなる。
【００１８】
上記適用例に記載の液体噴射装置において、制御部は、第２動作と、第２動作の後に再度無端シート状部材で固化した部分が第２ローラーを通過するよう無端シート状部材を一方向に回転する第３動作と、を複数回繰り返すのが好ましい。
【００１９】
本適用例によれば、固化したインクを第２のローラーに送る動作を複数回行うことで、より剥離を発生し易くなる。
【図面の簡単な説明】
【００２０】
【図１】実施形態１に係るインクジェット式プリンターの斜視図。
【図２】実施形態１に係るインクジェット式プリンターのブロック図。
【図３】実施形態１に係るフラッシング受け部の側面断面図。
【図４】実施形態１に係るヘッドと無端シート部の関係を示す平面図。
【図５】実施形態１に係るインク受け部の作用を示す側面断面図。
【図６】実施形態１に係る除去されなかったインクを示す側面断面図。
【図７】実施形態１に係る固化インク受け部の作用を示す側面断面図。
【発明を実施するための形態】
【００２１】
以下、液体噴射装置としてのインクジェット式プリンターに本発明を具体化した実施形態について、図面を参照して説明する。なお、以下の各図においては、各層や各部材を認識可能な程度の大きさにするため、各層や各部材の尺度を実際とは異ならせしめている。なお、以下の説明において、「前後方向」、「上下方向」及び「左右方向」をいう場合は、特に説明がない限り、図１を基準とした場合の「前後方向」、「上下方向」及び「左右方向」と一致するものとする。
【００２２】
（実施形態１）
図１に示すように、インクジェット式プリンター１１の略矩形箱状をなすフレーム１２内の下部には、その長手方向である左右方向に沿って媒体Pを支持するプラテン１３が延設されている。プラテン１３上には、フレーム１２の背面下部に設けられた媒体送りモーター１４の駆動に基づいて、図示しない媒体送り機構により媒体Ｐが後方側から給送されるようになっている。
【００２３】
フレーム１２内におけるプラテン１３の上方には、該プラテン１３の長手方向に沿ってガイド軸１５が架設されている。ガイド軸１５には、該ガイド軸１５の軸線方向（左右方向）に沿って往復移動可能に移動体としてのキャリッジ１６が支持されている。また、フレーム１２の後壁内面におけるガイド軸１５の両端部と対応する位置には、駆動プーリー１７ａ及び従動プーリー１７ｂが回転自在に支持されている。
【００２４】
駆動プーリー１７ａにはキャリッジ１６を往復移動させる際の駆動源となる移動手段としてのキャリッジモーター１８の出力軸が連結されるとともに、これら一対のプーリー１７ａ，１７ｂ間には一部がキャリッジ１６に連結された無端状のタイミングベルト１７が掛装されている。したがって、キャリッジ１６は、ガイド軸１５にガイドされながら、キャリッジモーター１８の駆動力により無端状のタイミングベルト１７を介して左右方向に移動されるようになっている。
【００２５】
図１に示すように、キャリッジ１６の下端部には、液体噴射ヘッドとしてのヘッド１９が支持されている。ヘッド１９の下面には、複数のノズル２０が開口している。各ノズル２０は、左右方向において互いに平行且つ等間隔に並ぶ複数のノズル列２０Ａを構成している。すなわち、各ノズル列２０Ａは、前後方向に並ぶ複数のノズル２０によってそれぞれ構成されている。なお、キャリッジ１６（ヘッド１９）の移動する方向を主走査方向と呼ぶ。
【００２６】
キャリッジ１６上には、ヘッド１９に対して液体としてのインクを供給するためのインクカートリッジ２１が着脱可能に装着されている。そして、インクカートリッジ２１内のインクは、インクカートリッジ２１からヘッド１９へと供給され、ヘッド１９に備えられた圧電素子（図示略）の駆動により、該ヘッド１９の各ノズル２０からインクが噴射される。そして、プラテン１３上に給送された媒体Ｐに噴射されて印刷が行われるようになっている。
【００２７】
また、フレーム１２内には、キャリッジ１６の移動距離に比例する数のパルスを出力するリニアエンコーダー２２がガイド軸１５に沿うように設けられている。さらに、インクジェット式プリンター１１は、該インクジェット式プリンター１１を統括制御する制御手段としての制御部２３を備えている。制御部２３は、ＣＰＵ、ＲＯＭ、及びＲＡＭを備えた構成とされている。
【００２８】
図２に示すように、制御部２３は、媒体送りモーター１４、キャリッジモーター１８、リニアエンコーダー２２、及び無端シート送りモーター３０とそれぞれ電気的に接続されるとともに、媒体送りモーター１４及びキャリッジモーター１８、後述する無端シート送りモーター３０の駆動を個別に制御する。そして、制御部２３は、リニアエンコーダー２２から出力されるパルスを検出して把握されるキャリッジ１６の移動位置、移動速度及び移動方向に基づいて、キャリッジモーター１８の駆動を制御することで、キャリッジ１６の速度制御及び位置制御を行う。また、制御部２３は、ヘッド駆動部２６の駆動を制御し、圧電素子を駆動することでヘッド１９のノズル２０からインクを噴射する。
【００２９】
また、フレーム１２内の右端部に位置する媒体Ｐと対応しないホームポジション領域（非媒体領域）には、媒体への噴射をしていない時にヘッド１９のクリーニングなどのメンテナンスを行うためのメンテナンス装置２４が設けられている。一方、フレーム１２内の左端部に位置する媒体Ｐと対応しない領域には、媒体への噴射をしている最中に適宜行われるフラッシングによって各ノズル２０から廃液として吐出（噴射）されるインクを受容する液体受容装置（液体受容手段）としてのフラッシング受け部２５が配置されている。
【００３０】
次に、フラッシング受け部２５の構成について詳述する。
図３示すように、フラッシング受け部２５は、ヘッド１９と対向してヘッド１９から噴射されたインク滴を受ける無端シート部３１を備えている。無端シート部３１は、矩形板状のシートの両端とつなぎ合わせることで無端状にしている。無端シート部３１の内側には第１のローラーとしての大径ローラー３２と第２のローラーとしての小径ローラー３３が備えられる。大径ローラー３２と小径ローラー３３により無端シートはテンションが掛けられ、たるまずに張られた状態となる。大径ローラー３２の上端の位置と小径ローラー３３の上端の位置は同じ高さである。そのため、無端シート部３１のヘッド１９に近い側の面はヘッド１９のノズル２０が形成された面と平行である。逆に、無端シート部３１のヘッド１９に遠い側の面はヘッド１９のノズル２０が形成された面に対して傾斜した状態となる。大径ローラー３２もしくは小径ローラー３３の一方は、無端シート送りモーター３０により回転させられ、無端シート部３１も各ローラーに沿って移動する。ここで、無端シート部３１のヘッド１９に近い側が大径ローラー３２側に移動するような無端シート送りモーター３０の回転方向、もしくは無端シート部３１の回転方向を正回転、無端シート部３１のヘッド１９に近い側が小径ローラー３３側に移動する方向の回転を逆回転とする。
【００３１】
大径ローラー３２の中心と小径ローラー３３の中心との前後方向の距離は、ノズル列２０Ａの両端のノズル２０間の距離よりも長い。また、図４において、無端シート部３１の幅Ｗ（無端シートの長手方向と垂直方向の長さ）は、両端にあるノズル列２０Ａの距離よりも長い。これにより、無端シート部３１はヘッド１９と対向したときに全てのノズル２０からのインクの噴射を受けられる大きさである。よって、ヘッド１９を無端シート部３１と対向した位置から動かすことなく全てのノズル２０からフラッシングを行うことができる。なお、図３において、ノズル２０を３つだけ示したが、これらはノズル列２０Ａの両端と中央の３つを示しており、これらの間にもノズルは存在する。また、図４において、左右方向にノズル列２０Ａを４列示したが、これに限るものではない。
【００３２】
図３において、大径ローラー３２の下部には液体収容部としてのインク受け部４１がある。また、小径ローラー３３の下部には固化液体保持部としての固化インク受け部４５がある。後で詳述するが、インク受け部４１は液状のインクを受ける部分であり、固化インク受け部４５は固化したインクを受ける部分である。
【００３３】
インク受け部４１は大径ローラー３２の下部から小径ローラー３３に向かって延びる中空の直方体状のインク受けケース４２を有している。インク受けケース４２の中にはインクを吸収する吸収材４３が収容されている。図３では１枚の吸収材４３であるが、複数枚の吸収材４３でもよい。固化インク受け部４５は中空の固化インク受けケース４６を有している。固化インク受けケース４６の中には吸収材は収容されていない。インク受け部４１の容積は固化インク受け部４５の容積より大きく、１０倍以上大きいのが望ましい。また、図３において、インク受けケース４２と固化インク受けケース４６は別体であるが、受ける部分が個別になっていれば一体でもよい。
【００３４】
次に、インクジェット式プリンター１１のフラッシング時の作用について説明する。
インクジェット式プリンター１１では、媒体Ｐへの噴射の最中に、ほぼ一定の間隔（例えば、１０秒間隔やキャリッジ１６を８往復毎）でヘッド１９をフラッシング位置にキャリッジ１６を移動させた状態でフラッシングが行われる。フラッシング位置は、ヘッド１９を無端シート部３１に対向させ全ノズル２０からのフラッシングが可能な位置である。そして、フラッシングによってヘッド１９の各ノズル列２０Ａの各ノズル２０から噴射されたインクは、無端シート部３１のヘッド１９に近い側の上に付着する。このときの無端シート部３１の位置は図３に示された位置であり、第１位置とする。付着したインクは無端シート部３１上で若干濡れ広がる。無端シート部３１上でインクが付着する領域をインク受け区間３４と呼ぶ。１回のフラッシングにより噴射されるインク量は１ノズル当たり０．０１ｍｇ程度である。図３ではインク受け区間３４のインクは一つに連続しているが、複数に分かれていてもよい。複数に分かれている場合は、一方の端から他方の端までの区間がインク受け区間３４となる。
【００３５】
制御部２３はフラッシングを１回行う毎に、その回数を記憶する。そして、フラッシング回数が１０回になったら、無端シート送りモーター３０を正回転させる。このとき図５のように、インク受け区間３４が大径ローラー３２の中心より下側となる位置（第２位置）まで正回転させる。その途中で、大径ローラー３２の部分まできたインクは重力で、大径ローラー３２の下に位置するインク受けケース４２に落下する。インク受けケース４２には吸収材４３が備えられており、落下したインクは吸収材４３に吸収され保持される。フラッシング回数を１回では量が少なすぎて無端シート部３１から落下しにくいが、フラッシングを１０回行ってから無端シート部３１を移動することで、重力で落下しやすくなる。無端シート送りモーター３０を正回転させた後で、制御部２３は記憶していたフラッシング回数を０回にリセットする。フラッシングの回数はインクが落下する回数であれば任意に変更してもよい。Ａ４サイズの媒体に噴射した場合、１枚の媒体への噴射中に行われるフラッシングは５回くらいである。フラッシング１０回であれば、Ａ４サイズの媒体への噴射を２枚行う毎に１度、無端シート部３１を移動することになる。なお、Ａ４サイズの媒体の全面に噴射を行うとは限らず、半面の場合など、噴射する区間は可変のため、必ずしもＡ４サイズ２枚に１度、無端シート部３１を移動するとは限らない。
【００３６】
制御部２３は、その後、インク受け区間３４を、第１の位置となるように、無端シート送りモーター３０を逆回転させる。その後も媒体への噴射が続けば、一定の間隔でヘッド１９が無端シート部３１と対向する位置に移動して、フラッシングを行う。このとき、インク受け区間３４とノズル列２０Ａは対向する位置関係となるため、同じ箇所にフラッシングが行われる。つまり、無端シート部３１において、フラッシングを受ける箇所は同じ位置で一定となる。ここで、同じ位置とは、無端シート送りモーター３０の回転誤差やヘッド１９の停止位置誤差などを含むため、誤差を含んでいる。なお、無端シート部３１を移動している間は、ヘッド１９から媒体Ｐへの噴射は継続される。
【００３７】
その後、媒体Ｐへの噴射が継続されれば同じ動作が繰り返されることになる。そして、媒体Ｐへの噴射が終わる。制御部２３は無端シート送りモーター３０を正回転させ、インク受け区間３４を第１位置から第２位置に移動させる。これは、制御部２３が記憶しているフラッシング回数が１０回に満たない場合でも行う。媒体Ｐへの噴射が終わった場合、その後、長時間にわたって噴射が再開されない場合がある。インク受け区間３４を第１位置に保持したままにしておくと、無端シート部３１に付着したインクがそのまま固化してしまうことがある。フラッシング回数が少ないとインク受け区間３４を第１位置から第２位置に移動させてもインクは落下しない場合があるが、無端シート部３１に付着するインク量を最低限の量に抑制することはできる。
【００３８】
そして、制御部２３は無端シート送りモーター３０を逆回転させ、インク受け区間３４を第１位置に移動させる。同時に休止タイマーをスタートする。休止タイマーは媒体Ｐへの噴射をしていない時間をカウントするタイマーである。
【００３９】
再び、媒体Ｐへの噴射が実行されるとき、制御部２３は休止タイマーを確認する。休止タイマーが７２時間を超えていなければ、制御部２３は、媒体Ｐへの噴射を実行する。休止タイマーが７２時間を超えていれば、制御部２３は、媒体Ｐへの噴射を実行する前に、無端シート送りモーター３０を逆回転させる。無端シート部３１のインク受け区間３４が第１位置から小径ローラー３３を経て第３位置に移動するまで無端シート送りモーター３０を逆回転させる。
【００４０】
図６のように、無端シート部３１には大径ローラー３２部で落下しきれなかったインクが膜状に残る。残ったインクは７２時間経過すると固化する。その状態でフラッシングを行うと、膜状の固化インクの上にインクが付着する。すると、インク受け区間３４が大径ローラー３２部を通過してもインクが落下しにくくなり、膜状のインクが堆積していくことになる。
【００４１】
そこで、休止タイマーが７２時間を超えている場合は、図７のように、インク受け区間３４が小径ローラー３３を通過するようにする。無端シート部３１は小径ローラー３３を通過する際に、大きな曲率で変形させられる。これにより無端シート部３１で固化した膜状のインクが分断され無端シート部３１から剥離する。そして、小径ローラー３３の下に位置する固化インク受け部４５に落下し収容される。第３位置は、インク受け区間３４が小径ローラー３３の中心より下側に位置するような位置である。
ここで、大径ローラー３２をインク受け区間３４が通過するときには固化インクが剥離せず、小径ローラー３３を通過するときに剥離するのが望ましい。大径ローラー３２で剥離した場合、剥離した固化インクはインク受け部４１の吸収材４３の上に落ちる。剥離した固化インクは吸収材４３に吸収されることは無いので、吸収材の上に残る。その後、固化していないインクがインク受け部４１に落ちた場合、固化していないインクは固化したインクの上に落ちる。固化していないインクは固化したインクをすぐには溶解できず、吸収材４３に吸収されることもないため、固化したインクの上に堆積することになる。一方、固化インク受け部４５に収容されるのは無端シート部３１から剥離した固化したインクであり、固化していないインクが収容されることはない。そのため、固化インク受け部４５には吸収材は備えられていない。また、固化していないインクが収容されることは無いので堆積することもない。よって、大径ローラー３２は固化したインクが剥離しない直径であるのが望ましく、小径ローラー３３は固化したインクが剥離する直径であるのが望ましい。
その後、制御部２３は、無端シート送りモーター３０を正回転させ、インク受け区間３４を第３位置から第１位置へ移動させる。そして、媒体Ｐへの噴射を実行する。
【００４２】
なお、本発明は上述した実施形態に限定されず、上述した実施形態に種々の変更や改良などを加えることが可能である。変形例を以下に述べる。
【００４３】
上述した実施形態では、インク受け区間３４が大径ローラー３２や小径ローラー３３を通過するときの速度は特に規定していない。この速度は同じでよい。しかし、インク受け区間３４が小径ローラー３３を通過するときの速度を大径ローラー３２を通過するときの速度より速くしても良い。速くすることにより、小径ローラー３３付近では無端シート部３１で固化した膜状のインクが分断されやすくなり、無端シート部３１から剥離しやすくなる。また、大径ローラー３２付近では、固化していないインクが飛散することがなく、確実にインク受け部４１に収容される。
【００４４】
上述した実施形態では、インク受け区間３４が小径ローラー３３を通過するとき回数を１回としたが、複数回行っても良い。複数回行うことで、無端シート部３１で固化した膜状のインクが分断されやすくなり、無端シート部３１から剥離しやすくなる。
【００４５】
上述した実施形態では、インク受け区間３４を同じ位置とした。これは、インクを受ける区間が同じであればよい。そのため、無端シート部３１を動かさずにフラッシングをしてもよいし、無端シート部３１を動かしながらフラッシングをしてもよい。そして、インク受け区間３４は大径ローラー３２と小径ローラー３３の中心間距離より短く、かつ、定められた領域である。２つのローラー間の中心間距離より短かいので、インク受け区間３４が両方のローラーにかかることがなく、インク受け部４１に固化したインクが収容されることはなく、固化インク受け部４５に固化していないインクが収容されることはない。
【００４６】
上記実施例は、インクジェット式のプリンターが採用されているが、インク以外の他の液体を噴射したり吐出したりする液体噴射装置を採用しても良い。微小量の液滴を吐出させる液体噴射ヘッド等を備える各種の液体噴射装置に流用可能である。なお、液滴とは、上記液体噴射装置から吐出される液体の状態をいい、粒状、涙状、糸状に尾を引くものも含むものとする。また、ここでいう液体とは、液体噴射ヘッドが噴射させることができるような材料であれ良い。例えば、物質が液相であるときの状態のものであれば良く、粘性の高い又は低い液状体、ゾル、ゲル水、その他の無機溶剤、有機溶剤、溶液、液状樹脂、液状金属（金属融液）のような流状体、また物質の一状態としての液体のみならず、顔料や金属粒子などの固形物からなる機能材料の粒子が溶媒に溶解、分散または混合されたものなどを含む。また、液体の代表的な例としては上記実施例の形態で説明したようなインクや液晶等が挙げられる。ここで、インクとは一般的な水性インクおよび油性インク並びにジェルインク、ホットメルトインク等の各種液体組成物を包含するものとする。液体消費装置の具体例としては、例えば液晶ディスプレイ、ＥＬ（エレクトロルミネッセンス）ディスプレイ、面発光ディスプレイ、カラーフィルターの製造などに用いられる電極材や色材などの材料を分散または溶解のかたちで含む液体を噴射する液体噴射装置、バイオチップ製造に用いられる生体有機物を噴射する液体噴射装置、精密ピペットとして用いられ試料となる液体を噴射する液体噴射装置、捺染装置やマイクロディスペンサー等であってもよい。さらに、時計やカメラ等の精密機械にピンポイントで潤滑油を噴射する液体噴射装置、光通信素子等に用いられる微小半球レンズ（光学レンズ）などを形成するために紫外線硬化樹脂等の透明樹脂液を基板上に噴射する液体噴射装置、基板などをエッチングするために酸又はアルカリ等のエッチング液を噴射する液体噴射装置を採用しても良い。そして、これらのうちいずれか一種の液体噴射装置に本発明を適用することができる。
【符号の説明】
【００４７】
１１…液体噴射装置としてのインクジェット式プリンター、１９…液体噴射ヘッドとしてのヘッド，２３…制御部、３１…液体受け部としての無端シート部、３２…第１のローラーとしての大径ローラー、３３…第２のローラーとしての小径ローラー、３４…液体を受ける部分としてのインク受け区間、４１…液体保持部としてのインク受け部、４５…固化物収容部としての固化インク受け部。
【図１】
0005741110.tif 000002
【図２】
0005741110.tif 000003
【図３】
0005741110.tif 000004
【図４】
0005741110.tif 000005
【図５】
0005741110.tif 000006
【図６】
0005741110.tif 000007
【図７】
0005741110.tif 000008